(57)【特許請求の範囲】
【請求項１】
雄ネジ部を有する給水栓部品を設置部に、設置部の取付孔に前記雄ネジ部を挿入して設置部の裏面側より雄ネジ部にナットを螺着することにより取り付ける給水栓部品の取付構造であって、
前記設置部と前記ナットとの間において、設置部側に摺動性に優れた摺動材を介在させ、ナット側に弾性に優れた弾性材を介在させたことを特徴とする給水栓部品の取付構造。
【請求項２】
前記設置部の裏面が傾斜面であり、該設置部の裏面と前記摺動材との間に、前記傾斜面に対応する傾斜面を有するスペーサを介在させたことを特徴とする請求項１に記載の給水栓部品の取付構造。
【請求項３】
雄ネジ部を有する給水栓部品を裏面が傾斜面となった設置部に、設置部の取付孔に前記雄ネジ部を挿入して設置部の裏面側より雄ネジ部にナットを螺着することにより取り付ける給水栓部品の取付構造であって、
前記設置部の裏面側に、前記傾斜面に対応する傾斜面を有するスペーサを、弾性に優れた弾性材を介在させることなく配置すると共に、該スペーサと前記ナットとの間に、摺動性に優れた摺動材と弾性に優れた弾性材とを介在させたことを特徴とする給水栓部品の取付構造。
【請求項４】
前記摺動材を前記スペーサ側に配置し、前記弾性材を前記ナット側に配置したことを特徴とする請求項３に記載の給水栓部品の取付構造。
【発明の詳細な説明】
【０００１】
【発明の属する技術分野】
本各発明は、雄ネジ部を有する給水栓部品を設置部に、設置部の取付孔に前記雄ネジ部を挿入して設置部の裏面側より雄ネジ部にナットを螺着することにより取り付ける給水栓部品の取付構造に関する。
【０００２】
【従来の技術】
従来より、例えば洗面台の天板等の設置部にシャワースタンド等の給水栓部品を取り付ける取付構造としては、図５（ａ）に示すように、設置部１０の取付孔１１に給水栓部品２１の雄ネジ部２８を挿通し、この雄ネジ部２８に、設置部１０の裏面１２側よりナット７０を螺着する構造が一般に採用されている。そして、このような取付構造では、ナット７０による過度な締め込み防止や締め込まれたナット７０の緩み防止のため、及び、ナット７０の円滑な回転を得るために、ゴム等により環状で平板状に形成された弾性材６０、及び、樹脂等により環状で平板状に形成された摺動材５０が、設置部１０とナット７０と間に介在されている。ここで、上記弾性材６０及び上記摺動材５０は、設置部１０側より弾性材６０、摺動材５０の順で配置されている。以下、この取付構造を、従来例１という。
【０００３】
ところで、設置部が傾斜面である場合には、設置部の裏面側も傾斜面となっているのが通常であり、このような傾斜面に対してはナットによる取り付けができないことから、図５（ｂ）に示すように、設置部１０の裏面１２の傾斜面に対応して、上面４１が傾斜面となったスペーサ４０を介在させている。そして、このような場合、特開平１１−２５６６４１号公報に開示されているように、スペーサ４０の上下両側若しくは少なくとも片側に弾性材６０を介在させている。以下、この取付構造を従来例２という。
【０００４】
【発明が解決しようとする課題】
しかしながら、従来例１では、弾性材６０及び摺動材５０が設置部１０側より弾性材６０、摺動材５０の順で配置されているため、次のような問題を生じる。
【０００５】
弾性材５０とナット７０との間に摺動材５０が介在されているため、ナット７０の回転力が弾性材６０に伝達され難くはなっているものの、ナット７０の締め込み完了間際では、ナット７０の回転力が摺動材５０を介して弾性材６０に伝達される。ここで、設置部１０の裏面１２は何らの加工も施されていないラフな面となっているのが通常であることから、設置部１０と弾性材６０との摩擦抵抗力は大きい。よって、弾性材６０には、ナット７０側の面に回転力が加わる一方で、設置部１０側の面には設置部１０と共に静止しようとする力が加わり、捻れを生じる。このような捻れが生じていると、無用な応力負荷により弾性材６０の劣化が速まり、弾性材６０による十分な緩み防止効果が得られずにナット７０が不用意に緩んでしまうことがある。
【０００６】
一方、従来例２では、スペーサ４０の上面４１側に弾性材６０を介在させた場合に次のような問題を生じる。
【０００７】
ナット７０の回転に伴ってスペーサ４０が回転しても、スペーサ４０が傾斜する上面４１を有していることから、この上面４１が設置部１０の裏面１２の傾斜面に倣って衝合し、ナット７０の締め込みによりスペーサ４０が自動的に位置決めされる。ところが、スペーサ４０の上面４１側に弾性材６０が介在されていると、図６に示すように、スペーサ４０に位置ズレが生じたままであっても、この位置ズレを弾性材６０が吸収してしまい、スペーサ４０の自動的な位置決めの実現を阻害してしまう。よって、スペーサ４０に位置ズレが生じたままで、ナット７０の締め込みが完了されてしまうことがある。このように、スペーサ４０に位置ズレが生じていると、ナット７０の締め込み完了後にスペーサ４０が正常な位置に戻ると、ナットに緩みが生じてしまう。
【０００８】
また、従来例２では、スペーサ４０とナット７０との間に摺動材が介在されていないため、次のような問題も生じる。
【０００９】
ナット７０の締め込み完了間際にてスペーサ４０がたとえ正常に位置決めされていても、ナット７０の締め込み完了までのナット７０の回転力がスペーサ４０に伝達されて、スペーサ４０を正常な位置からずらしてしまうことがある。特に、スペーサ４０とナット７０との間に弾性材６０が介在されていると、弾性材６０に対するナット７０及びスペーサ４０の摩擦抵抗力が大きいことから、上記不具合が顕著に生じる。このように、スペーサ４０に位置ズレが生じていると、上述と同様な問題を生じる。
【００１０】
本各発明はこのような実状に鑑みてなされたものであり、その目的とするところは、給水栓部品の取付状態を確実に堅固なものとできる、給水栓部品の取付構造を得ることである。
【００１１】
【課題を解決するための手段】
以上の課題を解決するために、先ず、請求項１の発明が採った手段は、「雄ネジ部を有する給水栓部品を設置部に、設置部の取付孔に前記雄ネジ部を挿入して設置部の裏面側より雄ネジ部にナットを螺着することにより取り付ける給水栓部品の取付構造であって、前記設置部と前記ナットとの間において、設置部側に摺動性に優れた摺動材を介在させ、ナット側に弾性に優れた弾性材を介在させたことを特徴とする給水栓部品の取付構造」である。
【００１２】
設置部側に摺動材を配置し、ナット側に弾性材を配置することにより、設置部に対して弾性材は円滑に回転する。よって、弾性材において、ナットの締め込みによりナット側に回転力が加わったとしても、設置部側が追従して回転し易く、無用な捻りが生じ難くなる。
【００１３】
尚、本発明においては、設置部、摺動材、弾性材及びナットを順次衝合させる態様に限らず、設置部と摺動材との間、摺動材と弾性材との間、或いは、弾性材とナットとの間の何れかに、種々の中間部材を介在させてもよい。ここで、中間部材としては、例えば、設置部とナットとの間の大きな間隙を埋めるスペーサ、流路を分岐するための分岐用の部材等、種々のものが挙げられる。また、この中間部材として摺動材を採用して、設置部に対してナットがさらに円滑に回転するようにしてもよい。
【００１４】
次に、請求項２の発明が採った手段は、「前記設置部の裏面が傾斜面であり、該設置部の裏面と前記摺動材との間に、前記傾斜面に対応する傾斜面を有するスペーサを介在させたことを特徴とする請求項１に記載の給水栓部品の取付構造」である。
【００１５】
設置部とナットとの間に傾斜面を有するスペーサを配置した場合、スペーサの自動的な位置決めを実現するためには、スペーサとナットとが円滑に回転するように、スペーサとナットとの間に摺動材を配置するのが望ましい。そして、スペーサとナットとの間に弾性材が配置されている態様では、この弾性材とナットとの間に摺動材を配置することが考えられる。しかしながら、このようにすると、摺動材を介在させてはいても、ナットの締め込み完了間際において、ナットの回転力が弾性材に伝達されることを完全には防止できず、ナットと摺動材と弾性材とが一体で回転してしまう。このようにナットと弾性材とが一体で回転すると、弾性材とスペーサとの摩擦抵抗力が大きいため、ナットの回転に伴ってスペーサが回転してしまい、ナットの締め込み完了時にスペーサに位置ズレが生じることがある。
【００１６】
これに対して、設置部とナットとの間に傾斜面を有するスペーサを配置した態様において請求項１の発明を適用すれば、スペーサ側に摺動材が配置され、ナット側に弾性材が配置されることになる。よって、ナットと共に弾性材及び摺動材が一体で回転しても、スペーサと摺動材との摩擦抵抗力が小さいため、摺動材に対してスペーサは滑り易く、ナットの回転力がスペーサに伝達され難くなる。これにより、スペーサに位置ズレが生じ難くなる。
【００１７】
次に、請求項３の発明が採った手段は、「雄ネジ部を有する給水栓部品を、裏面が傾斜面となった設置部に、設置部の取付孔に前記雄ネジ部を挿入して設置部の裏面側より雄ネジ部にナットを螺着することにより取り付ける給水栓部品の取付構造であって、前記設置部の裏面側に、前記傾斜面に対応する傾斜面を有するスペーサを、弾性に優れた弾性材を介在させることなく配置すると共に、該スペーサと前記ナットとの間に、摺動性に優れた摺動材と弾性に優れた弾性材とを介在させたことを特徴とする給水栓部品の取付構造」である。
【００１８】
本発明では、設置部とスペーサとの間に弾性材が介在されていないため、スペーサに位置ズレが生じたままでのナットによる締め付け完了が防止される。また、スペーサとナットとの間に摺動材が介在されているため、ナットの回転力がスペーサに伝達され難く、ナットの締め込みによるスペーサの位置ズレが生じ難くなる。
【００１９】
最後に、請求項４の採った手段は、「前記摺動材を前記スペーサ側に配置し、前記弾性材を前記ナット側に配置したことを特徴とする請求項３に記載の給水栓部品の取付構造」である。
【００２０】
請求項３の発明では、摺動材及び弾性材の配置部位を限定するものではないが、本発明では、摺動材をスペーサ側とし、弾性材をナット側とすることにより、ナットの締め込みによるスペーサの自動的で正常な位置決めが実現できる。この詳細は、請求項２の発明の手段において説明した通りであり、その詳細は省略する。
【００２１】
【発明の実施の形態】
先ず、図１及び図２を用いて、本各発明に係る給水栓部品の取付構造の一具体例をシャワー装置２０への適用例として説明する。このシャワー装置２０は、洗面化粧台若しくは流し台の天板等を用いて構成される設置部１０に好適に設置されるものである。
【００２２】
この設置部１０は、表裏面を貫通する取付孔１１を備えている。また、この設置部１０は使用者側に向かって下がり傾斜状とされ、設置部１０の表面に降りかかった湯水が洗面ボール若しくはシンク等へと流れ易くなっている。但し、本各発明に係る「設置部１０」は本例に示すものに限定されず、例えば、「略水平に配置される天板」、「洗面所、台所、若しくは浴室の壁部」、「洗面所、台所、若しくは浴室のカウンター」等を用いて構成されるものであってもよい。
【００２３】
シャワー装置２０は、基台部２１と、スライド筒２２と、シャワーホルダー２３と、シャワーヘッド２４とを備えている。このうち、基台部２１は、本各発明に係る給水栓部品の一具体例を示しており、外郭を構成する外郭部２５と、この外郭部２５内に螺合固定されて内部機構を構成する内部機構部２６と、を主要な構成要素としている。また、基台部２１の底面２７は傾斜状に設けられ、この底面２７からは下方に向かって雄ネジ部２８が突設されている。但し、この基台部２１の構成は本例に限定されず、例えば、単一の部材で構成されるものであってもよい。
【００２４】
スライド筒２２は、基台部２１の貫通孔２９に対して、上下方向へのスライドと、左右方向への回動とが可能状態に支持されており、このスライド筒２２の上端には、シャワーホルダー２３が固設されている。また、スライド筒２２の挿孔３０には、図示一点鎖線にように、ホース３１が挿通され、ホース３１の端末部は、シャワーホルダー２３に引き出し可能に支持されるシャワーヘッド２４に接続されている。
【００２５】
次に、設置部１０への基台部２１の取付構造を説明する。本取付構造においては、基台部２１の雄ネジ部２８が取付孔１１に挿入され、設置部１０の裏面１２側へと突出している。また、この雄ネジ部２８の挿入に伴って、基台部２１の底面２７が、シール部材３２を介在させた状態で設置部１０の表面に水密状に衝合されている。尚、このシール部材３２としては、例えば樹脂発泡体等を用いて構成されるシートパッキン等が採用されている。
【００２６】
設置部１０の裏面１２側においては、雄ネジ部２８に対して、スペーサ４０と、摺動材５０と、弾性材６０とがこの順で装着された後に、ナット７０が螺着されている。ここで、スペーサ４０の上面４１は、設置部１０の裏面１２に対応する傾斜面となっており、設置部１０の裏面１２の傾斜面に倣って取り付けた状態では、スペーサ４０の下面が水平となり、ナット７０による組み付けが可能となる。尚、スペーサ４０の構成素材は特に問わないが、例えば、金属や、ＰＯＭ、ＰＡ、ＰＣ等の強度に優れた樹脂等の素材を用いるのが好適である。また、摺動材５０の構成素材も特に問わないが、例えば、ＰＶＣ、ＰＯＭ等の自己潤滑性に優れた樹脂等を採用するのが好適である。そして、形状としては、例えば、表裏面の平滑性を高くした薄肉平板状で略リング形状を採用することができる。さらに、弾性材６０の構成素材や形状も特に問わないが、例えば、素材としてＮＢＲ等のゴムを採用し、形状として略リング型の平板形状を採用することができる。
【００２７】
この取付構造においては、まず、ナット７０の締め込み作業の初期では、スペーサ４０と、摺動材５０と、弾性材６０とが、ナット７０と一体で回転する。そして、ナット７０を締め込むに従って、スペーサ４０の上面４１が設置部１０の裏面に倣い、スペーサ４０が自動的に位置決めされていく。ここで、設置部１０とスペーサ４０との間には、スペーサ４０の位置ズレを吸収してしまう弾性材６０が介在されていないため、スペーサ４０は正確に位置決めされていく。尚、設置部１０とスペーサ４０との間に摺動材（図示省略）を介在させてもよい。このようにすると、設置部１０の裏面１２が平滑でない場合であっても、設置部１０に対してスペーサ４０が円滑に回転し、スペーサ４０の位置決めが円滑になされる。
【００２８】
次に、ナット７０の締め込んで行き、締め込み完了間際となると、スペーサ４０の上面４１が設置部１０の裏面１２に正しく衝合し、スペーサ４０が正確に位置あわせされる。そして、ナット７０の締め込み量を更に増加させると、摺動材５０と弾性材６０が、ナット７０と一体で回転する一方で、スペーサ４０は摺動材に対して滑って回転せず、図２に示すように、スペーサ４０が正確な位置にてナット７０の締め込みが完了される。
【００２９】
本各発明に係る給水栓部品の取り付け構造は、上記例に限らない。図３に、他の具体例を示し、次にこれを説明する。この他の具体例では、設置部１０とナット７０との間に、摺動性に優れた摺動材５０と、弾性に優れた弾性材６０と、摺動材５０と同様な第２の摺動材５１と、を設置部１０側より順次重ね合わせて介在させている。即ち、弾性材６０がその両面を摺動材５０と、第２の摺動材５１とでサンドイッチ状に挟まれた状態となっている。このような態様では、第２の摺動材５１の作用によって、ナット７０に対して弾性材６０が回転容易な状態となる。よって、弾性材６０の両面側に対して、互いに逆回転方向に向かう外力がより一層、加わり難くなり、弾性材６０に無用な変形がより一層、生じ難くなる。
【００３０】
弾性材６０の両面を摺動材５０、５１によってサンドイッチ状に挟み込んだ構造は新規なものであり、本各発明の給水栓部品の取付構造ばかりでなく、相対的に回動される第一の給水栓部品と第二の給水栓部品との間に弾性材を介在させる給水栓部品の組付構造にも適用することができる。例えば、単に、弾性材の一側に摺動材を介在させただけでは、第一の給水栓部品と第二の給水栓部品との間で十分な回動自在性が得られない場合に、弾性材の両側に摺動材を介在させることとして、十分な回動自在性を得ることができる。ここで、第一の給水栓部品及び第二の給水栓部品としては、例えば、吐水口の円筒状のハブを給水栓本体に回動自在に外嵌して給水栓本体に回動自在に吐水口を設ける場合における上記のハブや給水栓本体等が例示できる。
【００３１】
図４に、本各発明に係る給水栓部品の取付構造のさらに他の具体例を示す。この具体例においては、スペーサ４０とナット７０との間に、摺動材５０と弾性材６０とをスペーサ４０側より順次重ね合わせて介在させると共に、摺動材５０とスペーサ４０との間に、摺動材５０と同様な第２の摺動材５１を介在させている。即ち、本例は、摺動材５０，５１を、例えば２枚等、複数枚重ねて介在させたものである。この図４に示す具体例では、例えばスペーサ４０と摺動材５０とが十分に円滑に滑らない場合であっても、複数の摺動材５０，５１相互の円滑な摺動性により、ナット７０に対してスペーサ４０が円滑に回転する。
【００３２】
摺動材５０，５１を複数枚重ね合わせる構造は新規なものであり、本各発明の給水栓部品の取付構造ばかりでなく、相対的に回動される第一の給水栓部品と第二の給水栓部品との間に摺動材を介在させる給水栓部品の組付構造にも適用することができる。例えば、単に、一枚の摺動材を介在させただけでは、第一の給水栓部品と第二の給水栓部品との間で十分な回動自在性が得られない場合に、摺動材を例えば２枚等、複数枚重ね合わせることとして、十分な回動自在性を得ることができる。ここで、第一の給水栓部品及び第二の給水栓部品としては、例えば、吐水口の円筒状のハブを給水栓本体に回動自在に外嵌して給水栓本体に回動自在に吐水口を設ける場合における上記のハブや給水栓本体等が例示できる。
【００３３】
以上の各具体例では、スペーサ４０を設けた例を示したが、請求項１の発明においては、必ずしもスペーサ４０を必要としない。また、本各発明をシャワー装置２０の取付構造に適用した例を述べたが、本各発明は、他の給水栓部品に対しても好適に適用できる。例えば、台に取り付けられる台付き給水栓の水栓本体や、壁に取り付けられる壁付き給水栓の水栓本体を、本各発明における給水栓部品としてもよい。また、水栓本体を台や壁等の設置部に固定する際に、ソケット等の接続管が介在される場合には、この接続管を給水栓部品として本各発明を適用することもできる。
【００３４】
【発明の効果】
以上のように、本各発明によると、給水栓部品の取付状態を確実に堅固なものとできる、給水栓部品の取付構造を得ることができる。
【図面の簡単な説明】
【図１】  本各発明に係る給水栓部品の取付構造の一具体例を示す縦断面図である。
【図２】  図１の要部拡大図である。
【図３】  本各発明に係る給水栓部品の取付構造の他の具体例を示す縦断面図である。
【図４】  本各発明に係る給水栓部品の取付構造のさらに他の具体例を示す縦断面図である。
【図５】  （ａ）は従来例１を示す縦断面図であり、（ｂ）は従来例２を示す縦断面図である。
【図６】  従来例２の問題を示す縦断面図である。
【符号の説明】
１０；設置部、１１；取付孔、１２；裏面、２０；シャワー装置、２１；基台部（給水栓部品）、２２；スライド筒、２３；シャワーホルダー、２４；シャワーヘッド、２５；外郭部、２６；内部機構部、２７；底面、２８；雄ネジ部、２９；貫通孔、３０；挿孔、３１；ホース、３２；シール部材、４０；スペーサ、４１；上面、４３；貫通孔、５０；摺動材、５１；第２の摺動材、６０；弾性材、７０；ナット。
【図１】
0004486219.tif 000002
【図２】
0004486219.tif 000003
【図３】
0004486219.tif 000004
【図４】
0004486219.tif 000005
【図５】
0004486219.tif 000006
【図６】
0004486219.tif 000007